(57)【特許請求の範囲】
【請求項１】
便器洗浄水を蓄える洗浄水タンクを便器本体に固定する際に、前記洗浄水タンクの洗浄水流出口と、便器本体の洗浄水流入口との間に配設される弾性体のパッキンであって、
前記洗浄水流出口および前記洗浄水流入口の周囲に位置する基部と、
前記基部から平面視において略円周状に前記洗浄水タンク側に突出する複数の第１突出部と、
前記基部から平面視において略円周状に前記便器本体側に突出する複数の第２突出部と、
複数の前記第１突出部のうち、互いに隣り合う前記第１突出部同士を連結する第１連結部と、
複数の前記第２突出部のうち、互いに隣り合う前記第２突出部同士を連結する第２連結部と、
を備えたことを特徴とするパッキン。
【請求項２】
前記第１連結部の前記洗浄水タンク側の端部は、前記第１突出部の前記洗浄水タンク側の端部よりも前記基部側に形成されており、
前記第２連結部の前記便器本体側の端部は、前記第２突出部の前記便器本体側の端部よりも前記基部側に形成さていることを特徴とする請求項１に記載のパッキン。
【請求項３】
前記第１連結部および前記第２連結部は前記基部の中心から半径方向にそれぞれ等角度間隔に設けられることを特徴とする請求項１または請求項２の何れか１項に記載のパッキン。
【請求項４】
前記第１連結部および前記第２連結部の個数はそれぞれ３個以上であることを特徴とする請求項３に記載のパッキン。
【請求項５】
前記第１連結部および前記第２連結部は膜体であることを特徴とする請求項４に記載のパッキン。
【請求項６】
洗浄水流入口を有する便器本体と、
洗浄水流出口を有する洗浄水タンクと、
前記洗浄水タンクの前記洗浄水流出口と前記便器本体の前記洗浄水流入口との間に配設された、請求項１乃至請求項５の何れか１項に記載のパッキンと、
を備えたことを特徴とする水洗式大便器。
【発明の詳細な説明】
【技術分野】
【０００１】
本発明は、水洗式の便器本体に固定される洗浄水タンクの洗浄水流出口と便器本体の洗浄水流入口との間をシールするパッキン及びこのパッキンを備えた水洗式大便器に関する。
【背景技術】
【０００２】
従来から、水洗式の便器本体に洗浄水タンクを固定するための連結構造として、便器本体の洗浄水流入口と、便器本体の後部上面に載置される洗浄水タンクの洗浄水流出口との間に弾性体であるパッキンを配設し、洗浄水タンクを便器本体に対してボルトで固定するものが知られている（例えば、特許文献１参照。）。
【０００３】
また、パッキンにおいて洗浄水タンクと便器本体との間に位置している平坦部から洗浄水タンクまたは便器本体側にそれぞれ突出する複数の突出部を備えたものが知られている（例えば、特許文献２参照。）特許文献２に記載されているパッキンでは、洗浄水タンクと便器本体との固定にボルトの強い締結を行わなくてもシール作用が得られるよう、突出部が洗浄水流路に向けて傾斜している。
【先行技術文献】
【特許文献】
【０００４】
【特許文献１】特開平１０−３１８３７２号公報
【特許文献２】特開平９−２２１８０３号公報
【発明の概要】
【発明が解決しようとする課題】
【０００５】
しかしながら、特許文献２に記載されているパッキンでは、パッキンの突出部が変形しやすくなっているため、便器本体に対する洗浄水タンクの位置を調整したときにパッキンが変形することにより、シール作用が得られなくなる場合があった。
【０００６】
このことについて、図５を用いて以下に説明する。図５は便器本体１０と洗浄水タンク２０との間に従来のパッキン５０が配設されている状態を表す断面図である。
【０００７】
便器本体１０に洗浄水タンク２０を設置するときには、洗浄水タンク２０を便器本体１０に設置したときに生じる前後左右方向のずれや取り付け角度の修正のために、洗浄水タンク２０の位置を微調整することがある。このような調整は便器本体１０に洗浄水タンク２０を一旦載せたあとに行われるため、便器本体１０と洗浄水タンク２０の間にパッキン５０が挟まれた状態で行われる。
【０００８】
そのため、洗浄水タンク２０の位置の調整のために、洗浄水タンク２０を便器本体１０に対して前後左右にずらしたり、洗浄水流入口１４または洗浄水流出口２２の中心軸Ｏを中心として回転させたりすると、パッキン５０の便器本体１０の洗浄水流入口１４に接する側は洗浄水流入口１４に、洗浄水タンク２０の洗浄水流出口２２に接する側は洗浄水流出口２２に追随するように変形する。つまり、便器本体１０に対する洗浄水タンク２０の位置を調整することで、パッキン５０が捻じれる方向に変形したり、前後左右にひずむ方向に変形したりする。
【０００９】
そのため、図５の領域Ｃに示すように、洗浄水タンク２０の調整のやり方によっては、洗浄水タンク２０と接触してシール面を形成するはずのパッキン５０の突出部５４がめくれ上がるように変形する場合があった。このような変形により、パッキン５０と洗浄水タンク２９、パッキン５０と便器本体１０との間をシールしている突出部５４が変形し隙間が形成されると、パッキン５０によるシール作用が得られなくなる。
【００１０】
本発明はこのような課題に対してなされたものであり、便器本体に対するタンクの位置の微調整により、パッキンに捻じる方向の力やひずむ方向の力が加わったとしても突出部の変形を抑制することができるパッキンおよび水洗式大便器を提供することを目的とする。
【課題を解決するための手段】
【００１１】
上記課題を解決するために、第１の態様は、便器洗浄水を蓄える洗浄水タンクを便器本体に固定する際に、洗浄水タンクの洗浄水流出口と、便器本体の洗浄水流入口との間に配設される弾性体のパッキンであって、洗浄水流出口および洗浄水流入口の周囲に位置する基部と、基部から平面視において略円周状に洗浄水タンク側に突出する複数の第１突出部と、基部から平面視において略円周状に便器本体側に突出する複数の第２突出部と、複数の第１突出部のうち、互いに隣り合う第１突出部同士を連結する第１連結部と、複数の第２突出部のうち、互いに隣り合う第２突出部同士を連結する第２連結部と、を備えたことを特徴とするパッキンである。
【００１２】
このような構成によれば、第１突出部および第２突出部は基部から突出して形成されるため、その根元が基部と一体に形成されている。また、互いに隣り合う第１突出部は第１連結部によって、互いに隣り合う第２突出部は第２連結部によってそれぞれ連結されているため、基部以外に連結されている箇所が無い場合に比べて、パッキンに捻じる方向の力やひずむ方向の力が加わったとしても第１突出部および第２突出部の変形を抑制することができる。
【００１３】
また、第２の態様は、第１の態様において、第１連結部の洗浄水タンク側の端部は、第１突出部の洗浄水タンク側の端部よりも基部側に形成されており、第２連結部の便器本体側の端部は、第２突出部の便器本体側の端部よりも基部側に形成さていることを特徴とするパッキンである。
【００１４】
このような構成によれば、洗浄水タンクと接触してシール作用を生じている第１突出部に比べて、第１連結部が洗浄水タンクと接触しにくくなる。また、第２連結部も第２突出部に比べて便器本体と接触しにくくなる。そのため、第１連結部が洗浄水タンクと接触する、または、第２連結部が便器本体と接触することによるパッキンのシール作用への影響を少なくすることができる。
【００１５】
また、第３の態様は、第１の態様または第２の態様の何れか１つの態様において、第１連結部および第２連結部は基部の中心から半径方向にそれぞれ等角度間隔に設けられることを特徴とするパッキンである。
【００１６】
このような構成によれば、第１連結部および第２連結部はそれぞれ等角度間隔に設けられるため、平面視において第１連結部同士または第２連結部同士の間隔が偏らないようにすることができる。そのため、第１突出部および第２突出部の変形のしにくさに偏りが生じることを抑制することができる。
【００１７】
また、第４の態様は、第３の態様において、第１連結部および第２連結部の個数はそれぞれ３個以上であることを特徴とするパッキンである。
【００１８】
このように、第１連結部および第２連結部がそれぞれ３個以上形成されていれば、パッキンに対して前後方向および左右方向にひずむ力が加わったとしても第１突出部および第２突出部の変形を抑制することができる。
【００１９】
また、第５の態様は、第４の態様において、第１連結部および第２連結部は膜体であることを特徴とするパッキンである。
【００２０】
洗浄水タンクを便器本体に設置すると、パッキンの第１突出部および第２突出部が潰れてそれぞれシール面を形成する。このとき、第１連結部および第２連結部もそれぞれ第１突出部および第２突出部に挟まれて潰れるように変形する。しかし、第１連結部および第２連結部の形状によっては、第１連結部および第２連結部の厚みにより、変形後の第１突出部または第２突出部が、第１連結部または第２連結部が形成されている箇所で盛り上がったり、逆に内側に位置する第１突出部または第２突出部を押し込んだりすることが考えられる。
【００２１】
これに対して、このように第１連結部および第２連結部が膜体であれば第１連結部および第２連結部の厚みを薄くできるため、第１突出部または第２突出部が上述のような変形となることを抑制することができる。
【００２２】
また、第６の態様は、洗浄水流入口を有する便器本体と、洗浄水流出口を有する洗浄水タンクと、洗浄水タンクの洗浄水流出口と便器本体の洗浄水流入口との間に配設された、第１の態様乃至第５の態様の何れか１つの態様に記載のパッキンと、を備えたことを特徴とする水洗式大便器。
【００２３】
このような水洗式大便器によれば、便器本体に洗浄水タンクを設置するときに、便器本体に対する洗浄水タンクの位置を調整することによって、パッキンに捻じる方向の力やひずむ方向の力が加わったとしても、パッキンによるシール作用を得ることができる。
【発明の効果】
【００２４】
本発明によれば、便器本体に対するタンクの位置の微調整により、パッキンに捻じる方向の力やひずむ方向の力が加わったとしても突出部の変形を抑制することができるパッキンを提供することができる。
【図面の簡単な説明】
【００２５】
【図１】第１実施形態に係るパッキンが適用される水洗式大便器の分解図である。
【図２】（ａ）第１実施形態に係るパッキンの平面図である。（ｂ）図２（ａ）のＡ−Ａ線における断面図である。
【図３】第１実施形態に係るパッキンが取り付けられた洗浄水タンクを便器本体に取り付けるときの作業の様子を表した図である。
【図４】第１実施形態に係るパッキンが取り付けられた状態を示す断面図である。
【図５】従来技術のパッキンにおける課題を説明する断面図である。
【図６】（ａ）変形例に係るパッキンの平面図である。（ｂ）さらに別の変形例に係るパッキンの平面図である。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
＜＜第１実施形態＞＞
まず、本発明の第１実施形態に係るパッキンが適用される水洗式大便器について、図１を用いて説明する。
【００２８】
図１は、第１実施形態に係るパッキンが適用される水洗式大便器の分解図である。図２（ａ）は第１実施形態に係るパッキンの平面図であり、図２（ｂ）は図２（ａ）のＡ−Ａ線における断面図である。
【００２９】
図１に示すように、水洗式大便器には、便器本体１０の洗浄に用いる洗浄水を貯めておくための洗浄水タンク２０を備えているものがある。このような水洗式大便器では、便器本体１０の後方側上面に洗浄水タンク２０を載せるためのタンク載置部１２が形成されている。
【００３０】
タンク載置部１２には、洗浄水タンク２０から供給される洗浄水を受ける洗浄水流入口１４と、洗浄水タンク２０に設けられた固定ボルト２４が挿通されるボルト穴１６が形成されている。洗浄水流入口１４に供給された洗浄水は、図示しない導水路および吐水口などを通して便器本体１０のボウル部１１に供給される。
【００３１】
タンク載置部１２に載置される洗浄水タンク２０の底面には、洗浄水タンク２０を便器本体１０のタンク載置部１２に固定するための固定ボルト２４が設けられている。この固定ボルト２４をタンク載置部１２に形成されたボルト穴１６に通し、タンク載置部１２の裏面から図示しない固定ナットなどによって締め付け固定することで、洗浄水タンク２０を便器本体１０に固定する。
【００３２】
また、洗浄水タンク２０の底面には、洗浄水流入口１４と接続される洗浄水流出口２２が形成されている。洗浄水タンク２０内に貯められている洗浄水は、この洗浄水流出口２２を通して便器本体１０に供給される。なお、洗浄水流出口２２は洗浄水タンク２０から突出して形成された凸部２３の先端に形成されており、洗浄水タンク２０を便器本体１０に取り付けたときには洗浄水流出口２２が形成されている凸部２３を洗浄水流入口１４に挿し込むようにする。
【００３３】
また、凸部２３の外径Ｗ（図４参照）は、洗浄水流入口１４よりも小さくなっているため、両者の間には隙間が形成される。つまり、凸部２３に形成されている洗浄水流出口２２と、洗浄水流入口１４の間には隙間が形成される。従って、洗浄水流出口２２と洗浄水流入口１４との間から洗浄水が漏れないようにするため、両者の間には、第１実施形態のパッキン３０が配設される。図２（ａ）に示すように、パッキン３０はリング状であり、ＥＰＤＭ（エチレン−プロピレン−ジエンゴム）などの弾性を有する材料によって形成されている弾性体である。
【００３４】
パッキン３０は、図２（ｂ）においてＢ−Ｂ線で示す上下方向の中間位置に略円盤形状の基部３２を有している。基部３２の中心には洗浄水流出口２２が挿通される開口３２ａが形成されている。
【００３５】
パッキン３０は洗浄水流出口２２と洗浄水流入口１４との間から洗浄水が漏れないようにするための物であるため、基部３２の内径（つまり、開口３２ａの直径）は洗浄水流出口２２が形成されている凸部２３の外径Ｗ（図４参照）よりも僅かに小さく、基部３２の外径は洗浄水流入口１４の内径よりも大きくなっている。そのため、パッキン３０の基部３２は、洗浄水タンク２０を便器本体１０に設置した状態において、洗浄水流出口２２および洗浄水流入口１４の周囲に位置した状態となる。
【００３６】
また、開口３２ａの外周側であって基部３２の洗浄水タンク２０側（上側）には、基部３２から平面視において略円周状に洗浄水タンク２０側に突出する第１突出部３４が２つ形成されている。また、同じく開口３２ａの外周側であって基部３２の便器本体１０側（下側）には、基部３２から平面視において略円周状に便器本体１０側に突出する第２突出部３６が２つ形成されている。なお、第１突出部３４および第２突出部３６は、その厚さが１．０ｍｍから３．０ｍｍの略ヒダ状となっている。
【００３７】
また、図２（ｂ）に示すように、第１突出部３４は基部３２側から洗浄水タンク２０側の端部３４ａに向けてパッキン３０の中心側に傾くように形成されている。同様にして、第２突出部３６も基部３２側から便器本体１０側の端部３６ａに向けてパッキン３０の中心側に傾くように形成されている。
【００３８】
このように、第１突出部３４および第２突出部３６は、パッキン３０の中心側に傾くように形成されているので、便器本体１０と洗浄水タンク２０との間に挟まれた状態では、洗浄水タンク２０の荷重によって容易にパッキン３０の中心側に向かって倒れるため、固定ボルト２４をナットなどで強く締めつけなくても洗浄水流出口２２と洗浄水流入口１４をシールすることができるようになっている。
【００３９】
また、第１実施形態のパッキン３０では、第１突出部は２つ形成されており、この２つの第１突出部３４の間には、互いに隣り合う第１突出部３４同士を連結する第１連結部３８が形成されている。
【００４０】
図２（ａ）に示すように、平面視において、第１連結部３８は基部３２の中心点Ｏを中心から半径方向に等角度間隔α毎に設けられている。なお、図２（ａ）においては、第１連結部３８が１６箇所に形成されているため、角度間隔αは２２．５度となっている。
【００４１】
図２（ｂ）に示すように、第１連結部３８の洗浄水タンク２０側の端部３８ａは、第１突出部３４の洗浄水タンク２０側の端部３４ａよりも基部３２側に形成されている。つまり、第１連結部３８の洗浄水タンク２０側の端部３８ａは、第１突出部３４の洗浄水タンク２０側の端部３４ａよりも高さが低くなっている。また、第１連結部３８は、その厚さが０．５ｍｍから１ｍｍ程度の膜体である。
【００４２】
以上のように、第１実施形態のパッキン３０では、互いに隣り合う第１突出部３４同士を連結する第１連結部３８が形成されている。また、図２（ｂ）に示すように、パッキン３０はＢ−Ｂ線を挟んで上下対象の形状となっており、第１突出部３４と同様に、第２突出部３６においても、互いに隣り合う第２突出部３６同士を連結する第２連結部４０が形成されている。そのため、第２連結部４０の構成については、第１連結部３８と同様であるため説明を省略する。
【００４３】
＜作用の説明＞
続いて、第１実施形態に係るパッキン３０の作用について、図３及び図４を用いて説明する。図３は第１実施形態に係るパッキン３０を取り付けた洗浄水タンク２０を便器本体１０に取り付けるときの作業の様子を表した図である。図４は第１実施形態に係るパッキン３０が取り付けられた状態を示す断面図である。
【００４４】
まず、図３を用いて、便器本体１０に洗浄水タンク２０を取り付けるときに、パッキン３０を洗浄水流入口１４と洗浄水流出口２２との間に配設する方法について説明する。
【００４５】
第１実施形態のパッキン３０では、洗浄水タンク２０の取り付けのときに、洗浄水タンク２０の底面から突出して形成されている凸部２３にパッキン３０を挿し込んだ状態とする。
【００４６】
上述したように、パッキン３０は、開口３２ａの内径が洗浄水タンク２０の凸部２３の外径Ｗよりも僅かに小さくなっており、かつ、パッキン３０が弾性を有している。これにより、凸部２３にパッキン３０を挿し込むと、開口３２ａが広がるように変形し、凸部２３の外周に引っ掛かる。そのため、洗浄水タンク２０を便器本体１０に取り付けるために、凸部２３側を下に向けても、パッキン３０が外れて落ちないようにしている。
【００４７】
従って、図３に示すように、作業者１が洗浄水タンク２０を便器本体１０に取り付けるときには、パッキン３０を凸部２３に取り付けた状態で、洗浄水タンク２０を便器本体１０のタンク載置部１２に載せることで、パッキン３０を洗浄水流入口１４と洗浄水流出口２２との間に配設することができる。
【００４８】
しかし、洗浄水タンク２０は作業者１が持ち上げてから便器本体１０に載せるため、洗浄水タンク２０を載せたときに、洗浄水タンク２０の位置を微調整することがある。
【００４９】
具体的には、洗浄水タンク２０を便器本体１０のタンク載置部１２に載せた状態で、洗浄水タンク２０を前後左右にずらしたり、洗浄水流入口１４または洗浄水流出口２２の中心軸Ｏを中心として回転させたりする。そうすると、パッキン３０に対して捻じる方向やひずむ方向の力が加わる場合がある。
【００５０】
従来のパッキン５０では、このような捻じる方向やひずむ方向の力が加わると、図５で説明したように、突出部５４がめくれ上がるように変形し、パッキン５０と洗浄水タンク２０または便器本体１０との間に隙間が形成されることがあった。
【００５１】
しかしながら、第１実施形態のパッキン３０では、互いに隣り合う第１突出部３４および第２突出部３６が、それぞれ第１連結部３８および第２連結部４０によって連結されている。また、第１突出部３４および第２突出部３６は、基部３２と一体に形成されている。
【００５２】
そのため、例えば、第１突出部３４に捻じる方向やひずむ方向の力が加わったときには、その力を第１連結部３８によって隣り合う第１連結部３８に分散させることができる。
【００５３】
具体的には、洗浄水タンク２０の位置を微調整するときには、上述したようにパッキン３０の第１突出部３４及び第２突出部３６に対して、捻じる方向の力や前後左右にひずむ方向の力が加わる。
【００５４】
このような力が加わると、第１突出部３４及び第２突出部３６は、図５で説明したように、めくれ上がるように変形しようとすることがある。しかし、第１実施形態のパッキン３０では、隣り合う第１突出部３４同士および隣り合う第２突出部３６同士が、それぞれ第１連結部３８および第２連結部４０によって連結されている。
【００５５】
そのため、第１連結部３８によって連結された複数の第１突出部３４全体、または、第２連結部４０によって連結された複数の第２突出部３６全体で、第１突出部３４または第２突出部３６に加わる力を受けることができる。
【００５６】
つまり、第１突出部３４及び第２突出部３６に加わる捻じる方向の力や前後左右にひずむ方向の力に対する、第１突出部３４および第２突出部３６の強度を高めることができる。従って、基部３２以外に連結されている箇所が無い場合に比べて、パッキン３０に捻じる方向の力やひずむ方向の力が加わったとしても、第１突出部３４および第２突出部３６の変形を抑制することができる。
【００５７】
これにより、第１実施形態のパッキン３０では、便器本体１０に対する洗浄水タンク２０の位置を微調整したとしても、図４に示すように、第１突出部３４および第２突出部３６が潰れるように変形し、洗浄水タンク２０または便器本体１０と密着することで、両者の間から水が漏れないようにシール面を形成することができる。
【００５８】
また、第１実施形態のパッキン３０では、第１連結部３８の端部３８ａおよび第２連結部４０の端部４０ａが、第１突出部３４の端部３４ａおよび第２突出部３６ａに比べて基部３２側に形成されている。
【００５９】
そのため、洗浄水タンク２０と接触してシール作用を生じている第１突出部３４および、便器本体１０と接触してシール作用を生じている第２突出部３６に比べて、第１連結部３８および第２連結部４０がそれぞれ洗浄水タンク２０または便器本体１０と接触しにくくなる。
【００６０】
従って、第１連結部３８が洗浄水タンク２０と接触する、または、第２連結部４０が便器本体１０と接触することによるパッキン３０のシール作用への影響を少なくすることができる。
【００６１】
また、第１実施形態のパッキン３０では、第１連結部３８および第２連結部４０はそれぞれ等角度間隔に設けられるため、平面視において第１連結部３４同士または第２連結部４０同士の間隔が偏らないようにすることができる。そのため、第１突出部３４および第２突出部３６の変形のしにくさに偏りが生じることを抑制することができる。
【００６２】
また、第１連結部３８および第２連結部４０の個数は、それぞれ３個以上形成されていることが好ましい。第１連結部３８および第２連結部４０がそれぞれ３個以上形成されていれば、パッキン３０に対して前後方向および左右方向にひずむ力が加わったとしても第１突出部３８および第２突出部４０の変形を抑制することができる。
【００６３】
また、第１実施形態のパッキン３０では、第１連結部３８および第２連結部４０は膜体であるため、第１突出部３４および第２突出部３６が潰れてそれぞれシール面を形成するときに、第１連結部３８および第２連結部４０の厚みによって盛り上がったり、逆に内側に位置する第１突出部３４または第２突出部３６を押し込んだりすることを抑制できる。そのため、第１連結部３８および第２連結部４０によるシール面への影響を少なくすることができる。
【００６４】
また、第１実施形態のパッキン３０を備えた水洗式大便器によれば、便器本体１０に洗浄水タンク２０を設置するときに、便器本体１０に対する洗浄水タンク２０の位置を調整することによって、パッキン３０に捻じる方向の力やひずむ方向の力が加わったとしても、パッキン３０によるシール作用を得ることができる。
【００６５】
＜＜変形例＞＞
【００６６】
以上、本願の開示する技術の実施形態について説明したが、本願の開示する技術は上記に限定されるものではない。
【００６７】
例えば、図２において、第１突出部３４および第２突出部３６は、それぞれ２つずつ設けられていると説明したが、本発明のパッキン３０における第１突出部３４および第２突出部３６の数はこれに限定されるものではなく、それぞれ３つ以上設けられていても良い。また、第１突出部３４と第２突出部３６の数は等しくなくても良い。そのため、例えば、第１突出部３４が３つ、第２突出部３６が２つ形成されていても良い。
【００６８】
また、例えば、図２において、第１連結部３８および第２連結部４０はそれぞれ１６箇所に設けられると説明したが、本発明のパッキン３０における第１連結部３８および第２連結部４０の数はこれに限定されるものではない。
【００６９】
しかしながら、洗浄水タンク２０の位置を微調整するときにパッキン３０に加わる前後左右方向にひずむ力に対して、パッキン３０の変形を抑制するためには、第１連結部３８および第２連結部４０はそれぞれ等角度間隔で３箇所以上に設けられることが好ましく、更に好ましくは、それぞれ８箇所以上に設けるのが好ましい。
【００７０】
また、第１連結部３８と第２連結部４０の数は等しくなくても良い。そのため、例えば、第１連結部３８が８箇所に形成されており、第２連結部４０が１６箇所に形成されていても良い。
【００７１】
また、例えば、図２（ｂ）において、パッキン３０はＢ−Ｂ線を挟んで上下対象の形状であると説明したが、本発明のパッキン５０において第１連結部５８及び第２連結部５９の平面視における位置に関してはこれに限定されるものではない。そのため、例えば、第１連結部５８と第２連結部５９との位置は、図６（ａ）に示すように、ずれていても構わない。
【００７２】
また、例えば、図６（ｂ）に示すように、パッキン６０に設けられている第１突出部６４または第２突出部６６が３つ以上設けられている場合においては、第１連結部６８または第２連結部６９の平面視における位置は、パッキン６０の中心側と外周側とで、交互に設けられていても良い。
【００７３】
つまり、例えば、ある一つの第１連結部６８が、３つある第１突出部６４のうちパッキン３０の外周側にある第１突出部６４と中央の第１突出部６４を連結している場合、円周上においてその次に形成される第１連結部６８は、パッキン３０の内周側と中央の第１突出部を連結するようにする。同様にして、円周上において、さらにその次に形成される第１連結部６８は、再びパッキン３０の外周側と中央の第１突出部６４を連結するようにする。
【００７４】
なお、前述した各実施形態が備える各要素は、技術的に可能な限りにおいて組み合わせることができ、これらを組み合わせたものも本発明の特徴を含む限り本発明の範囲に包含される。
【符号の説明】
【００７５】
１０：便器本体
１１：ボウル部
１２：タンク載置部
１４：洗浄水流入口
１６：ボルト穴
２０：洗浄水タンク
２２：洗浄水流出口
２３：凸部
２４：固定ボルト
３０：パッキン
３２：基部
３２ａ：開口
３４：第１突出部
３６：第２突出部
３８：第１連結部
４０：第２連結部
【図１】
0006474037.tif 000002
【図２】
0006474037.tif 000003
【図３】
0006474037.tif 000004
【図４】
0006474037.tif 000005
【図５】
0006474037.tif 000006
【図６】
0006474037.tif 000007